(57)【要約】【課題】独創的かつ個性的な金属アクセサリーを、未経験者でも短時間で簡単に製作することができる簡易アクセサリーと簡易装飾体を提供する。【解決手段】指環の台座（１）とリング（２）に、装飾体組み込み支持部（３）を設け、その装飾体組み込み支持部（３）に脱落防止装置（４）を設けたことを特徴とする。また、ペンダント・ヘッド（５）に、装飾体組み込み支持部（３）を設け、その装飾体組み込み支持部（３）に脱落防止装置（４）を設けたことを特徴とする。別の例として、装飾体（６）自身に、脱落防止装置（４）を設けたことを特徴とする。【選択図】　　　図１
2004130013.tif 000002
【特許請求の範囲】
【請求項１】
指環の台座（１）とリング（２）に、脱落防止装置（４）を有する装飾体組み込み支持部（３）を設けた簡易アクセサリー。
【請求項２】
ペンダント・ヘッド（５）に、脱落防止装置（４）を有する装飾体組み込み支持部（３）を設けた簡易アクセサリー。
【請求項３】
装飾体（６）自身に、脱落防止装置（４）を設けた簡易装飾体。
【発明の詳細な説明】
【０００１】
【発明の属する技術分野】
この発明は、独創的かつ個性的な金属アクセサリー（指環・ペンダント・ピアス・ブレスレット・ブローチ・キーホルダー・ストラップ・腕時計ベルト・ライターなどの総称）を、未経験者でも短時間で簡単に製作することのできる簡易アクセサリーと簡易装飾体に関するものである。
【０００２】
【従来の技術】
従来、独創的かつ個性的な金属アクセサリーを製作しようとすると、彫金に於ける専門的な技術や知識が必要であり、なおかつ、多種類にも及ぶ器械や工具が必要であった。
【０００３】
【発明が解決しようとする課題】
従来の技術には次のような欠点があった。
イ．彫金に於ける専門的な技術や知識を修得するには、高額な授業料と長期間にも及ぶ修業が必要であった。
ロ．彫金で使用される多種類にも及ぶ器械や工具を揃えるには、高額な取得費用と、設置するための作業場が必要であった。
ハ．彫金には、技術的器用さが必要であり、だれにでも簡単に出来るというものではなかった。
本発明は、以上の欠点を解決するために考えられたものである。
【０００４】
【課題を解決するための手段】
指環の台座（１）とリング（２）に、装飾体組み込み支持部（３）を設ける。そして、装飾体組み込み支持部（３）に脱落防止装置（４）を設ける。（請求項１記載）
ペンダント・ヘッド（５）に、装飾体組み込み支持部（３）を設ける。そして、装飾体組み込み支持部（３）に脱落防止装置（４）を設ける。（請求項２記載）
装飾体（６）自身に、脱落防止装置（４）を設ける。（請求項３記載）
本発明は、以上の構成よりなる簡易アクセサリーと簡易装飾体である。
【０００５】
【発明の実施の形態】
以下、本発明の各請求項を図面をもとに、実施の形態について説明する。
本発明の請求項１の簡易アクセサリーは、図１の実施例に示すように、最終研磨の完了した指環の装飾部である台座（１）と、指に挿入される部分であるリング（２）に、脱落防止装置（４）を付与した装飾体組み込み支持部（３）を設ける。
次に、本発明の請求項２の簡易アクセサリーは、図２の実施例に示すように、最終研磨の完了したペンダント・ヘッド（５）の一部分に、脱落防止装置（４）を付与した装飾体組み込み支持部（３）を設ける。
そして、本発明の請求項３の簡易装飾体は、図３の実施例に示すように、最終研磨の完了した装飾体（金属彫刻体・宝石の石枠などの総称）（６）の一部分に、脱落防止装置（４）を設ける。
尚、本発明に言う脱落防止装置（４）は、例えばリングの台座と装飾体の結合の場合、いずれか一方には凹部、他方には凸部を形成したものであって、各結合をより強固にして、互いに脱落するのを防ぐ機能を担うものである。
【０００６】
本発明は、図４の実施例に示すように、請求項１と請求項２の簡易アクセサリーの装飾体組み込み支持部（３）に、金属含有粘土（金属微粉末・水・結合剤から成り、高温で焼成すると水や結合剤は焼失し、金属だけが残る粘土）（７）などを中間充填材として、請求項３の簡易装飾体（６）と結合させる。
結合後、金属含有粘土（７）の余剰分を取り除き、その表面を整え、必要に応じて簡易装飾体（６）の周辺の金属含有粘土（７）に、各種のデザインを彫刻することもできる。
彫刻終了後、結合状態のままで金属含有粘土（７）を乾燥させ、電気炉などを使って焼成する。
焼成後、簡易アクセサリーと簡易装飾体の最終研磨は完了しているので、金属含有粘土（７）が露出している部分のみを研磨し、最後に全体の艶出し加工をする。
【０００７】
そして、図５は、左側の鎖に右側に示すペンダント・ヘッドから係合している状態の断面を示すものであるから、この応用例に示すように、金属含有粘土（７）を中間充填材として使用するのではなく、請求項１と請求項２の簡易アクセサリーの装飾体組み込み支持部（３）に、金属含有粘土（７）を盛り上げるように詰め込み、金属含有粘土（７）の表面に彫刻のみを施す方法もある。
尚、本発明の各工程中に、簡易アクセサリーおよび簡易装飾体と金属含有粘土の間に化学的結合は無く、物理的結合を施すために脱落防止装置（４）が必要となる。
また、中間充填材として、金属含有粘土の他に、樹脂や陶材などを使用することも考えられる。
【０００８】
図６の応用例の示すものは、本発明の請求項３の簡易装飾体を、請求項１・２の簡易アクセサリーを使わずに、装飾体単体で使用された実施例を表わしたものであり、それは、アクセサリーの全般に使用される鎖（８）の輪の内側の膨らみを、簡易アクセサリーの脱落防止装置の替わりとして使用したものである。
その実施は、鎖（８）の輪の内側と、簡易装飾体（６）の脱落防止装置（４）のあいだに、中間充填材として金属含有粘土を詰め込み、簡易装飾体（６）を鎖（８）に固定するものである。
そして、大型の簡易装飾体の場合には、鎖の輪の全体を覆うようにすると、さらに保持力を増すことができる。
また、本発明の請求項３の簡易装飾体は、鎖以外の金属アクセサリーで、簡易アクセサリーの脱落防止装置の替わりとしての突起物や穴などがあれば、単体で使用することができる。
そして、簡易アクセサリーの脱落防止装置の替わりがない金属アクセサリーには、突起物や穴などを作ることにより、本発明の請求項３の簡易装飾体を単体で使用することができる。
【０００９】
図７の応用例の示すものは、本発明の請求項１に記載されている指環の台座（１）に使用されている装飾体組み込み支持部（３）に関しての応用例である。
その内容は、指環の半分まで構成された台座（１）とリング（２）の境界部分において、台座（１）の両端に装飾体組み込み支持部（３）を設ける場合に、その台座（１）の装飾体組み込み支持部（３）を装飾体（６）を組み込むだけの支持部と限定しないものである。
すなわち、外形がＵ字型に製作された指環の台座（１）の両端に、先端部が解放された状態になった装飾体組み込み支持部（３）を設け、その装飾体組み込み支持部（３）と装飾体（６）とのあいだに、外形がＵ字型に製作された指環のリング（２）の両端が納まるように、金属含有粘土を使用して固定し接合する。
この応用例を使用することにより、指環の台座（１）の装飾体組み込み支持部（３）に装飾体（６）を固定すると同時に、個々の指のサイズに合わせて指環の台座（１）とリング（２）も接合することができる。
前述した指環の台座（１）とリング（２）の境界部分の２ヶ所同時接合のほかに、２ヶ所ある境界部分の片方は指環製作時から連結され、もう片方の境界部分は離れた状態であるＣ字型の指環を製作し、境界部分の２ヶ所同時接合と同じ方法で、Ｃ字型指環の片方だけの境界部分の接合も応用することができる。
【００１０】
本発明の請求項１と請求項２に記述される装飾体組み込み支持部には、金属アクセサリーの種類や、装飾体組み込み支持部の設置される金属アクセサリーの部位の厚みや広さなどの諸状況により、形状の変化が必要とされる。
図１の実施例に示される指環の台座（１）部位のように厚みがある場合には、保持力が強く簡易装飾体の様々な形状への対応ができる掘り下げ型の装飾体組み込み支持部（３）が使用される。
そして、図１の実施例に示される指環のリング（２）部位のように厚みと広さがない場合には、平面型の装飾体組み込み支持部（３）が使用される。
さらに、図２の実施例に示されるペンダント・ヘッド（５）のように厚みがない場合には、厚みを補充するための盛り上げ型の装飾体組み込み支持部（３）が使用される。
また、その他の装飾体組み込み支持部の形状として、貫通型（図４参照）の装飾体組み込み支持部（３）も考えられる。
【００１１】
本発明の請求項１・２・３に記述される脱落防止装置にも、金属アクセサリーの種類や、装飾体組み込み支持部の接置される金属アクセサリーの部位の厚みや広さなどの諸状況により、球状や棒状などの突起型、孔や溝などの掘り込み型、図５に示した辺縁張り出し型の脱落防止装置（４）などの形状の変化が必要とされる。
【００１２】
本発明の請求項２のペンダント・ヘッド型簡易アクセサリーの応用例を述べる。
超小型のペンダント・ヘッド型簡易アクセサリーの裏側に、ピアス用のピンやワイヤーを固定して使用する場合には、ピアス型簡易アクセサリーとなる。
縦長で大型のペンダント・ヘッド型簡易アクセサリーの両端に、バチカンを２ヶ所固定をして使用する場合には、ブレスレット・プレート型簡易アクセサリーとなる。
大型のペンダント・ヘッド型簡易アクセサリーの裏側に、ブローチ用の金具を固定して使用する場合には、ブローチ型簡易アクセサリーとなる。
ペンダント・ヘッド型簡易アクセサリーに、キーホルダー用の金具を接続して使用する場合には、キーホルダー型簡易アクセサリーとなる。
ペンダント・ヘッド型簡易アクセサリーに、ストラップを接続して使用する場合には、ストラップ型簡易アクセサリーとなる。
以上が、本発明の実施の形態である。
【００１３】
【発明の効果】
本発明を使用することにより、未経験者が彫金において、専門的な技術や知識および多種類にも及ぶ高価な器械や工具を必要としないで、独創的かつ個性的な金属アクセサリーを、妥協することもなく、短時間で簡単に製作することができる。
【図面の簡単な説明】
【図１】本発明の請求項１の簡易アクセサリーの断面図
【図２】本発明の請求項２の簡易アクセサリーの斜視図
【図３】本発明の請求項３の簡易装飾体の斜視図
【図４】本発明の実施例を示す断面図
【図５】本発明の応用例を示す断面図
【図６】本発明の応用例を示す斜視図
【図７】本発明の応用例を示す断面図
【符号の説明】
１　台座
２　リング
３　装飾体組み込み支持部
４　脱落防止装置
５　ペンダント・ヘッド
６　装飾体
７　金属含有粘土
８　鎖
【図１】
2004130013.tif 000003
【図２】
2004130013.tif 000004
【図３】
2004130013.tif 000005
【図４】
2004130013.tif 000006
【図５】
2004130013.tif 000007
【図６】
2004130013.tif 000008
【図７】
2004130013.tif 000009